(57)【要約】【目的】スイッチの早切れを防止したスイッチ付回転型可変抵抗器を提供する。【構成】スイッチ機構Ｓは、シャフト１７に軸着された外周に凸部２１と凹部２２を備えるカム２５と、コイルバネ８で付勢されつつカム２５の外周に当接する柱状突起部２７を備えスイッチターミナル２３ａと導通してケース１６に軸着された導電性の切換片２６と、スイッチターミナル２３ｂから延設されて切換片２６の柱状突起部２７の直上に至る導電性の板バネ２８と、を備えて、柱状突起部２７はカム２５の外周に当接するとともに板バネ２８と接点３０で当接してスイッチターミナル２３ａ、２３ｂ間は導通しており、カム２５の凸部２１で柱状突起部２７がコイルバネ２８の力に抗して持ち上げられて凸部２１を越えてカム２５の円形の外周よりも低い凹部２２に落ちたときに初めて柱状突起部２７と板バネ２８の接点３０が離れてスイッチがオフする構成。【選択図】　　　　図１
2004111646.tif 000002
【特許請求の範囲】
【請求項１】
回転型可変抵抗器と、前記回転型可変抵抗器のケース背面側でシャフトに軸着された円形の外周に隣接する凸部と凹部を備えるカムと、バネで付勢されつつ前記カムの外周に当接する柱状突起部を備えるとともに一方のスイッチターミナルと導通して前記ケースに軸着された導電性の切換片と、他方のスイッチターミナルから延設されて前記切換片の柱状突起部に至る導電性の板バネと、を備えて、
前記シャフトの回動可能範囲において、前記切換片の柱状突起部は前記カムの円形の外周に当接するとともに前記板バネとの接点で当接してスイッチターミナル間は導通してスイッチがオンとなっており、前記カムの凸部で前記切換片の柱状突起部がバネに抗して持ち上げられて該凸部を越えてカムの円形の外周よりも低い前記凹部に落ちたときに初めて前記柱状突起部と前記板バネとの接点が離れてスイッチがオフするように構成されたスイッチを備えることを特徴とするスイッチ付回転型可変抵抗器。
【発明の詳細な説明】
【０００１】
【発明の属する技術分野】
本発明は、携帯ラジオ受信機等の小型電子機器に汎用されているスイッチ付回転型可変抵抗器の技術分野に属し、特にそのスイッチ機構に関する。
【０００２】
【従来の技術】
スイッチ付回転型可変抵抗器の公知技術として、例えば実用新案公告公報昭３２−４９５４号、実用新案公告公報昭３６−１９８４７号、実用新案公告公報昭４２−２５９２号がある。
【０００３】
回転型可変抵抗器の基本構造例は、例えば上記実用新案公告公報昭３２−４９５４号に記載されている。概説すると、ケースに軸支されたシャフトに摺動子を配したロータが固定されて、ケース内面若しくは基板上に形成された馬蹄形の抵抗体上を前記摺動子がシャフトの回動とともに摺動することで、前記抵抗体の両端部から導出された２つの外部接続端子と、前記摺動子から導出された外部接続端子間の抵抗値を可変にするという構造である。
【０００４】
そして、上記のような回転型可変抵抗器のケースの背面側には、図５に示されるスイッチ付回転型可変抵抗器５０のように、ケース１に外部接続端子２ａ、２ｂ、２ｃ及びスイッチターミナル３ａ、３ｂがハトメでかしめ固定され、円形の外周に山形の凸部１１、１２とその間に挟まれた凹部１３を備えてシャフトＺ１に軸着されたカム５と、コイルバネ８で付勢されつつ前記カム５の外周に当接する柱状突起部７を備えるとともに一方のスイッチターミナル３ａと常時導通して前記ケース１に軸Ｚ２で軸着された導電性の切換片６と、を備えており、回転型可変抵抗器のシャフトを回して前記カム５の凸部１１が前記切換片６の柱状突起部７を持ち上げることで、該切換片６とスイッチターミナル３ｂとの接点１５が離れてスイッチがオフし、さらに前記柱状突起部７がカム５の凸部１１を越えて凹部１３に落ち至ることで安定なスイッチオフ状態となるスイッチ機構（カム式スイッチと称する。）となっている。
【０００５】
【発明が解決しようとする課題】
前記スイッチ付回転型可変抵抗器５０の典型的な適用例として、ラジオ等の音量調節に使用したとき、シャフトを回して音量を最小に絞った時点でスイッチがオフとなり電源が切れる構造になっている。しかしながら、図６の（ａ）、（ｂ）、（ｃ）に示されるスイッチ機構の状態図から判るように、上記従来のカム式スイッチの機構では、（ａ）のシャフトの回動可能範囲における抵抗可変領域では、カム５の円形の外周は切換片６の柱状突起部７に当たっておらず、コイルバネ８の力Ｆで柱状突起部７が押されて切換片６とスイッチターミナル３ｂの接点１５は閉じているが、（ｂ）のようにシャフトを矢印β方向に回してカム５の凸部１１が切換片６の柱状突起部７に当たった時点で柱状突起部７はコイルバネ８の力Ｆに抗して押し上げられて接点１５が離れてスイッチがオフ（早切れ）して電源が切れるので、使用者はスイッチが切れたものと思い込み、ここで回転を止めると、再び前記切換片６が前記コイルバネ８の力Ｆで押し戻されてカム５が矢印αの方向に逆戻りしてスイッチが再びオン状態になる恐れが多分にあった。
【０００６】
前記切換片６の柱状突起部７が図６の（ｃ）に示されるように、前記カム５の凸部１１を越えて凹部１３に至るまで、換言すれば、必ず「カチン」とクリック音のする所までシャフトを回せば問題ないが、上述のように切換片６の柱状突起部７が凸部１１を越える手前で止めてしまうと再びスイッチがオンとなってしまうのである。実際、上記早切れによってスイッチが完全に切れたものと誤解し、電池が知らない間に消耗してしまうといった苦情が多々あった。
【０００７】
本発明は上記早切れの問題を解決したスイッチ付回転型可変抵抗器を提供することにある。
【０００８】
【課題を解決するための手段】
本発明は、回転型可変抵抗器と、前記回転型可変抵抗器のケース背面側でシャフトに軸着された円形の外周に隣接する凸部と凹部を備えるカムと、バネで付勢されつつ前記カムの外周に当接する柱状突起部を備えるとともに一方のスイッチターミナルと導通して前記ケースに軸着された導電性の切換片と、他方のスイッチターミナルから延設されて前記切換片の柱状突起部に至る導電性の板バネと、を備えて、前記シャフトの回動可能範囲において、前記切換片の柱状突起部は前記カムの円形の外周に当接するとともに前記板バネとの接点で当接してスイッチターミナル間は導通してスイッチがオンとなっており、前記カムの凸部で前記切換片の柱状突起部がバネに抗して持ち上げられて該凸部を越えてカムの円形の外周よりも低い前記凹部に落ちたときに初めて前記柱状突起部と前記板バネとの接点が離れてスイッチがオフするように構成されたスイッチを備えることを特徴とするスイッチ付回転型可変抵抗器を提供することにより、上記目的を達成する。
【０００９】
【発明の実施の形態】
本発明に係るスイッチ付回転型可変抵抗器の実施の形態を図面に基づいて詳述する。なお、前記従来のスイッチ付回転型可変抵抗器５０と同等部材については同符号で示す。
【００１０】
図１は本発明に係るスイッチ付回転型可変抵抗器のスイッチ機構のスイッチオンの状態（シャフト回動における抵抗可変領域）を示す図である。
【００１１】
図２は上記スイッチ機構のスイッチオンからスイッチオフへ至る直前の状態を示す図である
図３はスイッチオフの状態を示す裏面側のスイッチ機構を示す図である。
【００１２】
本発明に係るスイッチ付回転型可変抵抗器４０は、図４に示される概略断面図に示されるように、樹脂成形してなるケース１６と、シャフト１７と、該シャフト１７に固定されたローター１８と、該ローター１８に配設された金属薄板を打ち抜き成形してなる摺動子１９と、ケース１６の底面に塗布成形された前記摺動子１９と当接する馬蹄形の抵抗体２０と、ケース１６にかしめ固定された３本の外部接続端子２を主構成部材とする可変抵抗器Ｒの部分は、公知の回転型可変抵抗器と同様の構造であるのでその説明は省略し、専ら前記ケース１６の背面側に付設されたスイッチ機構Ｓについて説明する。
【００１３】
図１及び図４において、前記回転型可変抵抗器Ｒのケース１６の背面側（図４の下側）のスイッチ機構Ｓは、前記シャフト１７に軸着された円形の外周に隣接する凸部２１と凹部２２を備えるカム２５と、コイルバネ８で付勢されつつ前記カム２５の外周に当接する柱状突起部２７を備えるとともに一方のスイッチターミナル２３ａと導通して前記ケース１６に軸着された導電性の切換片２６と、他方のスイッチターミナル２３ｂから延設されて前記切換片２６の柱状突起部２７の直上に至る導電性の板バネ２８と、を備えて、前記シャフト１７の回動可能範囲において、前記切換片２６の柱状突起部２７は前記カム２５の円形の外周に当接するとともに前記板バネ２７との接点３０で当接してスイッチターミナル２３ａ、２３ｂ間は導通してスイッチがオンとなっている。
【００１４】
次に、図２に示されるように矢印βの方向にシャフト１７を回すことにより、前記カム２５の凸部２１で前記切換片２６の柱状突起部２７がコイルバネ８の力及び板バネ２８の力（比較的弱い）に抗して持ち上げられて該凸部２１を越えて、図３に示されるようにカム２５の円形の外周よりも低い前記凹部２２に落ちたときに初めて前記柱状突起部２７と前記板バネ２８との接点３０が離れて（板バネ２８はストッパー３１で止められる。）スイッチがオフするように構成されている。
【００１５】
即ち、本スイッチ機構Ｓでは、切換片２６の柱状突起部２７がカム２５の凹部２２の底に「カチン」というクリック音とともに落ち至るまでは、スイッチはオン状態のままであり、スイッチに接続された電子機器の電源はつながったままであるので、使用者は錯誤に陥ることなく確実にスイッチがオフしたことを認識できるのである。
【００１６】
また、スイッチが完全にオフするまでは抵抗可変領域とすることができるので、ラジオの音量調整と電源スイッチに用いられる場合では、スイッチをオフする前に音が無くなるといった不具合も解消される。
【００１７】
念のために付言すれば、本発明の射程範囲はスイッチ付回転型可変抵抗器全般に及ぶものである。
【００１８】
したがって、上記スイッチ付回転型可変抵抗器４０の例では、更に２連、３連の可変抵抗器であってもよいことは勿論である。また、その全体の寸法、形状、並びに各部材の寸法、形状は種々の形態が想定されるものであり、上記実施の形態に記載されたものに限定されないことは勿論である。
【００１９】
【発明の効果】
本発明に係るスイッチ付回転型可変抵抗器は上記のように構成されていることから、早切れが防止されて、完全にスイッチがオフする安定状態直前までシャフト回動可能範囲における抵抗可変領域とすることができ、切り忘れの無い確実なスイッチのオン／オフが実現できるという優れた効果を有する。
【００２０】
【図面の簡単な説明】
【図１】本発明に係るスイッチ付回転型可変抵抗器のスイッチ機構のスイッチオンの状態（シャフト回動における抵抗可変領域）を示す図である。
【図２】上記スイッチ機構のスイッチオンからスイッチオフへ至る直前の状態を示す図である。
【図３】スイッチオフの状態を示す裏面側のスイッチ機構を示す図である。
【図４】本発明に係るスイッチ付回転型可変抵抗器の概略断面図である。
【図５】従来のスイッチ付回転型可変抵抗器のスイッチ機構を示す背面図である。
【図６】上記従来のスイッチ機構を説明する図である。
【符号の説明】
１、１６　　　ケース
２、２ａ、・・・　　外部接続端子
３ａ、３ｂ、２３ａ、２３ｂ　　　スイッチターミナル
５、２５　　　カム
６、２６　　　切換片
７、２７　　　柱状突起部
８　　　コイルバネ
１１、１２、２１　　凸部
１３、２２　　　凹部
１５、３０　　　接点
３１　　　ストッパー
４０、５０　　　スイッチ付回転型可変抵抗器
１７、Ｚ１　　　シャフト
１８　　　ローター
１９　　　摺動子
２０　　　抵抗体
２８　　　板バネ
Ｚ２　　　軸
Ｆ　　　コイルバネの力
α、β　　　矢印
Ｒ　　　可変抵抗器
Ｓ　　　スイッチ機構
【図１】
2004111646.tif 000003
【図２】
2004111646.tif 000004
【図３】
2004111646.tif 000005
【図４】
2004111646.tif 000006
【図５】
2004111646.tif 000007
【図６】
2004111646.tif 000008